(57)【要約】【課題】温度上昇を抑制することが可能なコネクタを提供する。【解決手段】コネクタ２１は、端子収容室２４が並ぶコネクタハウジング２２と、端子収容室２４に収容される雌端子金具５と、コネクタハウジング２２に嵌合して雌端子金具５を二重に係止するスペーサ２３とを備えて構成される。そして、コネクタハウジング２２における端子収容室２４の並びの両側となる位置には、端子収容室２４と別に貫通孔２６が形成される。貫通孔２６は、スペーサ２３を係合させた状態でコネクタハウジング２２の一端から他端にかけて真っ直ぐに貫通するように形成される。貫通孔２６は、ハウジング貫通孔２７、２８とスペーサ貫通孔３３とで構成される。【選択図】図１
2016131083.tif 000002
【特許請求の範囲】
【請求項１】
絶縁性のコネクタハウジングと、導電性の雌端子金具とを含んで構成され、前記コネクタハウジングには、該コネクタハウジングの一端から相手コネクタの雄端子金具が挿入され且つ他端から前記雌端子金具が収容される端子収容室が複数並んで形成されるコネクタにおいて、
前記コネクタハウジングには、前記端子収容室とは別に前記一端から前記他端にかけて貫通する貫通孔を形成する
ことを特徴とするコネクタ。
【請求項２】
請求項１に記載のコネクタにおいて、
前記貫通孔を、前記端子収容室の並びの両側となる位置に配置形成する
ことを特徴とするコネクタ。
【請求項３】
請求項１又は２に記載のコネクタにおいて、
前記コネクタハウジングに係合して前記雌端子金具を二重に係止する絶縁性のスペーサを更に含み、前記貫通孔の一部を前記スペーサのスペーサ貫通孔にて構成する
ことを特徴とするコネクタ。
【発明の詳細な説明】
【技術分野】
【０００１】
本発明は、端子収容室が複数並んで形成されるコネクタハウジングと、端子収容室に収容される雌端子金具とを含んで構成されるコネクタに関する。
【背景技術】
【０００２】
例えば自動車において使用されるコネクタとしては、下記特許文献１に開示されたものが知られる。このコネクタは、絶縁性のコネクタハウジングと、コネクタハウジングの中間に嵌合する絶縁性のスペーサと、導電性の雌端子金具とを含んで構成される。コネクタハウジングには、端子収容室が複数並んで形成される。この端子収容室は、コネクタハウジングの一端から相手コネクタ（ジョイントコネクタ）の雄端子金具が挿入され、且つ、他端からは雌端子金具が収容される。雌端子金具は、内部にバネ片が形成され且つ外形が矩形に形成される筒状電気接触部と、この筒状電気接触部に連成される電線接続部とを有する。雌端子金具は、端子収容室に収容され、そしてこの後にコネクタハウジングにスペーサが本係合すると、二重に係止されて抜けが確実に防止される。
【０００３】
上記相手コネクタであるジョイントコネクタは、絶縁性のジョイントコネクタハウジングと、導電性の雄端子金具（バスバー形状のジョイント端子）とを含んで構成される。ジョイントコネクタハウジングには、フード状のコネクタ嵌合部と、雄端子金具を保持する端子保持部とが形成される。雄端子金具は、細長いタブ状の雄端子を複数、連結部で連結してなるものであり、連結部が端子保持部に保持される。
【０００４】
上記構成及び構造において、コネクタが相手コネクタのコネクタ嵌合部に差し込まれると、相手コネクタの雄端子が雌端子金具の筒状電気接触部に挿入されて、この時、雄端子が筒状電気接触部のバネ片を摺接する。これにより電気的な接触が完了する。すなわち、コネクタ接続が完了する。
【０００５】
ところで、以上のようなコネクタに限るものではないが、コネクタ接続をした後に次のような問題点が生じる虞がある。以下、図面を参照しながら説明をする（説明は、先ず構成及び構造を説明し、次に問題点を説明する）。
【０００６】
図４及び図５において、引用符号１はコネクタを示す（ジョイント雌コネクタとも言う）。また、引用符号２はジョイントコネクタを示す（ジョイント雄コネクタとも言う）。コネクタ１は、コネクタハウジング３と、スペーサ４と、複数の雌端子金具５とを備えて構成される。尚、雌端子金具５は、便宜上一つのみ図示するものとする。雌端子金具５は、コネクタハウジング３の端子収容室６に収容された後、スペーサ４により二重に係止される。端子収容室６は、複数並んで形成され、この並びの列が上下二段になるように配置される。
【０００７】
ジョイントコネクタ２は、ジョイントコネクタハウジング７と、ジョイント端子８と、リアホルダ９とを備えて構成される。ジョイントコネクタハウジング７は、コネクタ嵌合部１０と端子保持部１１の二部品から構成される。ジョイント端子８は、複数の雄端子１２を連結部１３にて連結してなる略櫛歯状の形状に形成される。ジョイント端子８は、二枚備えられる。雄端子１２は、上記のコネクタ接続により雌端子金具５の筒状電気接触部に挿入される。雄端子１２と筒状電気接触部のバネ片との接触部分は接点になる（引用符号１４で示す黒丸印部分を接点部とする）。
【０００８】
コネクタ接続をした後にコネクタ間に電流を流すと、接点部１４付近では熱が発生する。この発生した熱はコネクタ１内にこもってしまい、そのためコネクタ１のセンターを中心に熱膨張が起こる（逆に電流を断つとセンターを中心に収縮が起こる）。そして、熱がこもり温度が上昇するとバネ片の接触荷重が低下する。具体的には、図６に示す如く、バネ片１５がへたり実線のような状態になり、これに伴って矢印のような押し上げの力が低下してしまう（接触荷重が低下してしまう）。
【０００９】
接触荷重が低下してしまうと、次のような問題点が生じる。すなわち、接点部１４（図５参照）の接触抵抗［単位ｍΩ］が図６に示す如く上昇し、更に発熱し易くなって溶損につながってしまうという問題点が生じる。尚、本願発明者は、コネクタハウジング３の両サイド位置に近い箇所の接点部１４が最も発熱することを突き止めている。別な言い方をすれば、ダメージを受け易くなることを突き止めている。
【００１０】
ところで、上記のような温度上昇につながる要因の一つを挙げると、図７に示す如く雄端子１２の挿抜により、雄端子１２とバネ片１５との間で摺動が起こり、この時、酸化摩耗粉等の摺動時生成物が接点部１４に入り込んでしまうことである（引用符号１６はスズメッキの層を示す）。摺動時生成物１７が接点部１４に入り込んでしまうと、接触抵抗が上昇し、結果、温度が上昇してしまうことになる。
【先行技術文献】
【特許文献】
【００１１】
【特許文献１】特開２０１４−４９３９９号公報
【発明の概要】
【発明が解決しようとする課題】
【００１２】
本発明は、上記した事情に鑑みてなされたもので、温度上昇を抑制することが可能なコネクタを提供することを課題とする。
【課題を解決するための手段】
【００１３】
上記課題を解決するためになされた請求項１に記載の本発明は、絶縁性のコネクタハウジングと、導電性の雌端子金具とを含んで構成され、前記コネクタハウジングには、該コネクタハウジングの一端から相手コネクタの雄端子金具が挿入され且つ他端から前記雌端子金具が収容される端子収容室が複数並んで形成されるコネクタにおいて、前記コネクタハウジングには、前記端子収容室とは別に前記一端から前記他端にかけて貫通する貫通孔を形成することを特徴とする。
【００１４】
請求項２に記載の本発明は、請求項１に記載のコネクタにおいて、前記貫通孔を、前記端子収容室の並びの両側となる位置に配置形成することを特徴とする。
【００１５】
請求項３に記載の本発明は、請求項１又は２に記載のコネクタにおいて、前記コネクタハウジングに係合して前記雌端子金具を二重に係止する絶縁性のスペーサを更に含み、前記貫通孔の一部を前記スペーサのスペーサ貫通孔にて構成することを特徴とする。
【発明の効果】
【００１６】
請求項１に記載された本発明によれば、コネクタハウジングの一端から他端にかけて貫通するように貫通孔を形成することから、雌端子金具と雄端子金具との接点部付近で発生した熱がコネクタハウジングに伝わったとしても、この伝わった熱をコネクタハウジングの貫通孔を介して外部へ放熱することができる。従って、コネクタ内での熱をこもり難くすることができ、以て接触荷重の低下や溶損等を防止することができるという効果を奏する。
【００１７】
また、請求項２に記載された本発明によれば、最も発熱してダメージを受け易くなる箇所の近くに貫通孔を配置形成することから、温度上昇の抑制に寄与することができるという効果を奏する。
【００１８】
請求項３に記載された本発明によれば、スペーサを備えるコネクタであり、このスペーサにも貫通孔（スペーサ貫通孔）を形成してこれを貫通孔の一部とすることから、良好に放熱をすることができる。従って、スペーサを備えたコネクタであっても、このコネクタ内での熱をこもり難くすることができ、以て接触荷重の低下や溶損等を防止することができるという効果を奏する。
【図面の簡単な説明】
【００１９】
【図１】本発明のコネクタを示す図であり、（ａ）は正面図、（ｂ）は斜視図である。
【図２】図１のコネクタの分解斜視図である。
【図３】図１及び図２とは異なる向きから見たコネクタハウジングの斜視図（サイド部分の断面図を含む）である。
【図４】従来例のコネクタ及び相手側コネクタの斜視図である。
【図５】図４のコネクタの図であり、（ａ）は正面図、（ｂ）は（ａ）のＡ−Ａ線断面図である。
【図６】従来例のコネクタの問題点に係る説明図であり、（ａ）はバネ片のへたりを示す図、（ｂ）は接触抵抗が上昇する状態を示すグラフである。
【図７】従来例のコネクタの問題点に係る説明図であり、（ａ）は雄端子の挿抜によりバネ片との間で摺動が起こった状態を示す図、（ｂ）は摺動時生成物が接点部に入り込んだ状態を示す図である。
【発明を実施するための形態】
【００２０】
コネクタは、端子収容室が並ぶコネクタハウジングと、端子収容室に収容される雌端子金具と、コネクタハウジングに嵌合して雌端子金具を二重に係止するスペーサとを備えて構成される。コネクタハウジングにおける端子収容室の並びの両側となる位置には、端子収容室と別に貫通孔が形成される。貫通孔は、スペーサを係合させた状態でコネクタハウジングの一端から他端にかけて真っ直ぐに貫通するように形成される。貫通孔は、気体の移動が可能な部分として形成される。このような貫通孔は、ハウジング貫通孔とスペーサ貫通孔とで構成される。
【実施例】
【００２１】
以下、図面を参照しながら実施例を説明する。図１は本発明のコネクタを示す図であり、（ａ）は正面図、（ｂ）は斜視図である。また、図２は図１のコネクタの分解斜視図、図３は図１及び図２とは異なる向きから見たコネクタハウジングの斜視図（サイド部分の断面図を含む）である。
【００２２】
＜コネクタ２１の構成について＞
図１ないし図３において、本発明に係るコネクタ２１（ジョイント雌コネクタとも言う）は、絶縁性の樹脂部品であるコネクタハウジング２２と、同じく絶縁性の樹脂部品であるスペーサ２３（サイドスペーサとも言う）と、導電性の複数の雌端子金具５（図７参照）とを備えて構成される。このような構成のコネクタ２１は、相手コネクタ（例えば図４のジョイントコネクタ２）に対してコネクタ接続される。
【００２３】
尚、本発明は、スペーサ２３を備えてないタイプのコネクタであっても採用することができるものとする。また、ジョイントコネクタに限らず一般的なコネクタにも採用することができるものとする。
【００２４】
本発明は、以下の説明で分かるようになるが、コネクタハウジング２２及びスペーサ２３に跨って特徴部分を有する。そのため、これらコネクタハウジング２２及びスペーサ２３の構造について説明をする。図中の矢印Ｐは上下方向を示す。また、矢印Ｑは左右方向を示す。また、矢印Ｒは前後方向を示す。
【００２５】
＜コネクタハウジング２２について＞
コネクタハウジング２２は、左右方向に長く、また、前後方向にのびるブロック形状のものに形成される。コネクタハウジング２２は、複数の端子収容室２４と、スペーサ係合部２５と、本発明の特徴部分である貫通孔２６を構成するハウジング貫通孔２７、２８とを有して図示形状に形成される。
【００２６】
複数の端子収容室２４は、上下二段になるように配置形成される。また、各段の端子収容室２４は、左右方向に１１個並ぶように配置形成される（数などは一例であるものとする）。端子収容室２４は、この一端（前端）から相手コネクタの雄端子金具（例えば図５及び図７の雄端子１２）を挿入することができるように形成される。また、端子収容室２４は、この他端（後端）から雌端子金具５を収容することができるように形成される。端子収容室２４の内部には、挿入された雌端子金具５が突き当たるストッパ部と、雌端子金具５の係止部分である公知のランスとが形成される。
【００２７】
スペーサ係合部２５は、コネクタハウジング２２の中間に配置形成される。スペーサ係合部２５は、端子収容室２４を横切るような形状に、また、スペーサ２３を下から上に向けて係合させることができる形状に形成される。スペーサ係合部２５には、端子収容室２４の並びの両側となる位置にロック部２９が形成される。尚、引用符号３０は、ロック部２９を形成するための型抜き穴を示す。この型抜き穴３０は、本発明の特徴部分である貫通孔２６と異なる部分である。つまり、貫通孔２６は型抜き穴３０と別に形成される（この他、肉厚を均一にするための肉盗みの穴とも別に形成される）。
【００２８】
ハウジング貫通孔２７、２８は、下の段側の端子収容室２４の並びの両側となる位置であり、型抜き穴３０の下側の位置に配置形成される。従って、コネクタハウジング２２のスペースを有効に利用してハウジング貫通孔２７、２８は形成される。ハウジング貫通孔２７、２８は、コネクタハウジング２２の一端から他端にかけて真っ直ぐに貫通するように形成される。ハウジング貫通孔２７、２８は、本実施例において、略正方形で貫通するように形成される（形状は一例であるものとする。例えば、上下方向に長い長方形で貫通するように形成されてもよいものとする）。ハウジング貫通孔２７、２８は、端子収容室２４よりも大きく開口する形状に形成される。ハウジング貫通孔２７、２８は、後述するスペーサ貫通孔３３に連通するとともに、外部空間に連通するように形成される。このようなハウジング貫通孔２７、２８は、雌端子金具５と雄端子金具（雄端子１２）との接点部付近で発生した熱を外部へ放熱するための部分として形成される。
【００２９】
＜スペーサ２３について＞
スペーサ２３は、左右方向にのびる本体部３１と、この本体部３１の左右両側に連成される係合部３２とを有する。本体部３１は、コネクタハウジング２２のスペーサ係合部２５に対し仮係合の状態で雌端子金具５を挿通させることができ、且つ、本係合の状態になると雌端子金具５を二重に係止することができるように形成される。
【００３０】
係合部３２には、本発明の特徴部分である貫通孔２６の一部を構成するスペーサ貫通孔３３が形成される。このスペーサ貫通孔３３は、本実施例において、ハウジング貫通孔２７、２８と同じ略正方形で貫通するように形成される（形状は一例であるものとする。例えば、上下方向に長い長方形で貫通するように形成されてもよいものとする）。スペーサ貫通孔３３は、コネクタハウジング２２のスペーサ係合部２５にスペーサ２３が本係合した状態になると、コネクタハウジング２２のハウジング貫通孔２７、２８に連通して、これにより貫通孔２６が完成するような部分に形成される。
【００３１】
＜コネクタ２１に関するまとめ及び効果＞
以上、図１ないし図３を参照しながら説明してきたように、本発明に係るコネクタ２１は、端子収容室２４が並ぶコネクタハウジング２２と、端子収容室２４に収容される雌端子金具５と、コネクタハウジング２２に係合して雌端子金具５を二重に係止するスペーサ２３とを備えて構成される。
【００３２】
そして、コネクタハウジング２２における端子収容室２４の並びの両側となる位置であり、型抜き穴３０の下側の位置には、端子収容室２４と別に、また、型抜き穴３０や肉盗みの穴とも別に、貫通孔２６が形成される。従って、スペースを有効に利用して貫通孔２６を形成しているため、コネクタハウジング２２は左右方向で大型化することがない。貫通孔２６は、スペーサ２３を係合させた状態でコネクタハウジング２２の一端から他端にかけて真っ直ぐに貫通するように形成される。貫通孔２６は、気体の移動が可能な部分として形成される。貫通孔２６は、ハウジング貫通孔２７、２８とスペーサ貫通孔３３とで構成される。
【００３３】
このようなコネクタ２１によれば、雌端子金具５と雄端子１２（雄端子金具）との接点部付近で発生した熱がコネクタハウジング２２及びスペーサ２３に伝わったとしても、この伝わった熱をコネクタハウジング２２及びスペーサ２３の貫通孔２６（ハウジング貫通孔２７、２８及びスペーサ貫通孔３３）を介して外部へ放熱することができる。
【００３４】
従って、貫通孔２６によりコネクタ２１内での熱をこもり難くすることができ、以て接触荷重の低下や溶損等を防止することができるという効果を奏する。
【００３５】
本発明は本発明の主旨を変えない範囲で種々変更実施可能なことは勿論である。
【符号の説明】
【００３６】
５…雌端子金具
１２…雄端子（雄端子金具）
２１…コネクタ
２２…コネクタハウジング
２３…スペーサ
２４…端子収容室
２５…スペーサ係合部
２６…貫通孔
２７、２８…ハウジング貫通孔
２９…ロック部
３０…型抜き穴
３１…本体部
３２…係合部
３３…スペーサ貫通孔
【図１】
2016131083.tif 000003
【図２】
2016131083.tif 000004
【図３】
2016131083.tif 000005
【図４】
2016131083.tif 000006
【図５】
2016131083.tif 000007
【図６】
2016131083.tif 000008
【図７】
2016131083.tif 000009